(57)【要約】【課題】使用者ごとに適した酸素濃度の空気を提供する健康装置を提供する。【解決手段】使用者に肉体的負荷を与える負荷手段１６と、大気の酸素濃度と異なる酸素濃度の空気を得る酸素状態可変手段５２と、前記酸素状態可変手段５２で得た空気を使用者に供給する空気供給手段５３とを備え、使用者が機器を所定時間以上使用した場合には、前記負荷手段１６の運転を停止する構成としたもので、使用者の使用状況に合った適切な肉体的負荷で、効率よく有酸素運動を行うことができるとともに、使用者の異常疲労を防止することができる。【選択図】図６
2005245495.tif 000002
【特許請求の範囲】
【請求項１】
使用者に肉体的負荷を与える負荷手段と、大気の酸素濃度と異なる酸素濃度の空気を得る酸素状態可変手段と、前記使用者に空気を提供する吐出部と、前記酸素状態可変手段で得た空気を前記吐出部に供給する空気供給手段と、使用者が機器を使用した時間を測定する使用時間測定手段と、前記負荷手段の動作を制御する制御手段とを備え、前記制御手段は、前記使用時間測定手段による測定結果に基づいて、前記負荷手段の運転を停止する構成とした健康装置。
【請求項２】
使用者の個人情報を入力できる情報入力部を備え、前記情報入力部に入力された情報に基づいて連続使用時間を設定する構成とした請求項１記載の健康装置。
【請求項３】
使用者に肉体的負荷を与える負荷手段と、大気の酸素濃度と異なる酸素濃度の空気を得る酸素状態可変手段と、前記使用者に空気を提供する吐出部と、前記酸素状態可変手段で得た空気を前記吐出部に供給する空気供給手段と、使用者の運動量を測定する運動量測定手段と、前記負荷手段の動作を制御する制御手段とを備え、前記制御手段は、前記運動量測定手段による測定結果に基づいて、前記負荷手段の運転を停止する構成とした健康装置。
【請求項４】
負荷手段の運転の停止を使用者に報知する報知手段を備えた請求項１〜３のいずれか１項に記載の健康装置。
【請求項５】
空気供給手段から提供される空気の酸素濃度、風量、風速のうち、少なくとも１つを、使用時間測定手段による測定結果に基づいて変更する構成とした請求項１または２記載の健康装置。
【請求項６】
空気供給手段から提供される空気の酸素濃度、風量、風速のうち、少なくとも１つを、運動量測定手段による測定結果に基づいて変更する構成とした請求項３記載の健康装置。
【発明の詳細な説明】
【技術分野】
【０００１】
本発明は健康装置に関するもので、特に酸素濃度が変更された空気を使用者に提供する機能を備えた健康装置に関するものである。
【背景技術】
【０００２】
従来、健康装置が設置されている室内空間に酸素濃度の高い空気を供給するものとして、外部の空気から隔離された隔離室と、該隔離室の外部に設置され酸素を富化した空気を供給する酸素富化空気供給装置と、該酸素富化空気供給装置から前記隔離室に酸素富化空気を供給する送気管とを備え、該送気管を介して前記酸素富化空気供給装置から前記隔離室に酸素濃度の高い酸素富化空気を供給して、該隔離室を外部の空気よりも酸素濃度の高い酸素富化環境にするようにしたものがあった（例えば、特許文献１参照）。
【特許文献１】特開２０００−３１４５４２号公報
【発明の開示】
【発明が解決しようとする課題】
【０００３】
しかしながら、上記従来の技術では、複数の利用者が居る隔離室内の空気の酸素濃度を設定することはできるが、同隔離室内で健康装置を使用する人にそれぞれ適した状態で酸素濃度の空気を提供することはできないという課題を有していた。
【０００４】
本発明は、上記従来の課題を解決するもので、健康装置を使用する使用者に最適な状態で酸素濃度の空気を提供することができる健康装置を提供することを目的とする。
【課題を解決するための手段】
【０００５】
前記従来の課題を解決するために、本発明の健康装置は、使用者に肉体的負荷を与える負荷手段と、大気の酸素濃度と異なる酸素濃度の空気を得る酸素状態可変手段と、前記使用者に空気を提供する吐出部と、前記酸素状態可変手段で得た空気を前記吐出部に供給する空気供給手段と、使用者が機器を使用した時間を測定する使用時間測定手段と、前記負荷手段の動作を制御する制御手段とを備え、前記制御手段は、前記使用時間測定手段による測定結果に基づいて、前記負荷手段の運転を停止する構成としたもので、適切な肉体的負荷で効率よく有酸素運動を行うことができるとともに、使用者の異常疲労を防止することができる。
【０００６】
また、本発明の健康装置は、使用者に肉体的負荷を与える負荷手段と、大気の酸素濃度と異なる酸素濃度の空気を得る酸素状態可変手段と、前記使用者に空気を提供する吐出部と、前記酸素状態可変手段で得た空気を前記吐出部に供給する空気供給手段と、使用者の運動量を測定する運動量測定手段と、前記負荷手段の動作を制御する制御手段とを備え、前記制御手段は、前記運動量測定手段による測定結果に基づいて、前記負荷手段の運転を停止する構成としたもので、使用者に合った適切な肉体的負荷で効率よく有酸素運動を行うことができるとともに、使用者の疲労を低減することができる。
【発明の効果】
【０００７】
本発明の健康装置は、健康装置を使用する使用者に最適な状態で酸素濃度の空気を提供することができる健康装置を提供することができる。
【発明を実施するための最良の形態】
【０００８】
第１の発明は、使用者に肉体的負荷を与える負荷手段と、大気の酸素濃度と異なる酸素濃度の空気を得る酸素状態可変手段と、前記使用者に空気を提供する吐出部と、前記酸素状態可変手段で得た空気を前記吐出部に供給する空気供給手段と、使用者が機器を使用した時間を測定する使用時間測定手段と、前記負荷手段の動作を制御する制御手段とを備え、前記制御手段は、前記使用時間測定手段による測定結果に基づいて、前記負荷手段の運転を停止する構成としたもので、使用者の使用状況に合った適切な肉体的負荷で、効率よく有酸素運動を行うことができるとともに、使用者の異常疲労を防止することができる。
【０００９】
第２の発明は、使用者の個人情報を入力できる情報入力部を備え、前記情報入力部に入力された情報に基づいて連続使用時間を設定する構成としたもので、使用者の使用状況に合った適切な肉体的負荷で、効率よく有酸素運動を行うことができるとともに、使用者の異常疲労を防止することができる。
【００１０】
第３の発明は、使用者に肉体的負荷を与える負荷手段と、大気の酸素濃度と異なる酸素濃度の空気を得る酸素状態可変手段と、前記使用者に空気を提供する吐出部と、前記酸素状態可変手段で得た空気を前記吐出部に供給する空気供給手段と、使用者の運動量を測定する運動量測定手段と、前記負荷手段の動作を制御する制御手段とを備え、前記制御手段は、前記運動量測定手段による測定結果に基づいて、前記負荷手段の運転を停止する構成としたもので、使用者の使用状況に合った適切な肉体的負荷で効率よく有酸素運動を行うことができるとともに、使用者の疲労を低減することができる。
【００１１】
第４の発明は、負荷手段の運転の停止を使用者に報知する報知手段を備えたもので、負荷手段の運転状況を適切に使用者に知らせることができる。
【００１２】
第５の発明は、空気供給手段から提供される空気の酸素濃度、風量、風速のうち、少なくとも１つを、使用時間測定手段による測定結果に基づいて変更する構成としたもので、使用者の使用状況に合った適切な酸素富化空気および適切な肉体的負荷で、効率よく有酸素運動を行うことができるとともに、使用者の異常疲労を防止することができる。
【００１３】
第６の発明は、空気供給手段から提供される空気の酸素濃度、風量、風速のうち、少なくとも１つを、運動量測定手段による測定結果に基づいて変更する構成としたもので、使用者の使用状況に合った適切な酸素富化空気および適切な肉体的負荷で、効率よく有酸素運動を行うことができるとともに、使用者の疲労を低減することができる。
【００１４】
以下、本発明の実施の形態について、図面を参照しながら説明する。なお、この実施の形態によって本発明が限定されるものではない。
【００１５】
（実施の形態１）
以下に、本発明の第１の実施の形態における健康装置について、図１〜８を用いて説明する。
【００１６】
図１は、本実施の形態における健康装置の側面図で、図２は同健康装置に取りつけられた酸素富化装置の全体図である。
【００１７】
本実施の形態における健康装置１は、エアロバイクを例にしたもので、酸素を富化した空気を供給する酸素富化装置２と、使用者が腰をかける座部１４と、体重を測定する体重計測手段１５と、画像処理を行って身長を計測する身長測定手段１９と、アーム５４により支えられ健康装置１を操作するための表示・入力盤１１と、使用中上半身を支えるために使用者が握る把持部１２と、健康維持・体力増強用に使用者に肉体的負荷を与える負荷手段１６と、前記負荷手段１６に連結され運動量を測定する運動量測定手段１７を備えている。１７ａは負荷手段１６に連結されたペダルでこれをこぐことで有酸素運動を行うことができる。
【００１８】
酸素富化装置２を必要に応じて起動・運転して発生させた酸素富化空気を連結管３０を経由し、吐出部２１より使用者に供給することができる。
【００１９】
次に、図２を用いて酸素富化装置２の詳細を説明する。
【００２０】
酸素富化装置２は、外気取り入れ用の吸気口７と、吸気口７から流入した外気に酸素を富化する酸素富化手段２ａと、吸気口７から外気を取り入れ酸素富化手段２ａから酸素富化空気を取り出す吸引手段となるポンプ１０と、ポンプ１０の下流側に接続されかつ酸素の風量、風速を変化させる機能を有する濃度調整弁８を備えている。
【００２１】
酸素富化手段２ａを通過した空気はポンプ１０により連結管３０を経て吐出部２１へと送り出される。濃度調整弁８は、酸素の風量、風速を変化させる機能を有するほか、外気を直接ポンプ１０で吸引した空気と経路（図示せず）を切り替えることにより、酸素の濃度も調節できる酸素状態可変手段としての機能も有する。また前記ポンプ１０には、後述の酸素富化膜４の通過圧損に対抗して酸素富化空気の流量を稼ぐために運転時の圧力が高いベローズポンプが用いられている。
【００２２】
酸素富化手段２ａは、有機高分子の平膜より構成され、膜を通過する分子の速度の差を利用するもので、空気中の窒素に比べ酸素をよく通すため、その二次側には比較的高い酸素濃度のいわゆる酸素富化空気が得られる。通常の空気において酸素が占める割合は約２１％（窒素約７９％）であるが、本実施の形態の酸素富化手段２ａを通過後の酸素富化空気においては、酸素が占める割合が約３０％（窒素約７０％）となる。
【００２３】
次に酸素富化手段２ａの詳細について図３、４を用いて説明する。
【００２４】
図３において、酸素富化手段２ａは、モジュール５が複数枚積層されてユニット構造となっており、各モジュール５は、図４に示すように、メッシュ構造のフレーム３の両側面に略長方形の酸素富化膜４を貼って両膜間に通路を形成している。そしてフレーム３の通路内をポンプ１０で吸引することにより、酸素富化膜４の周辺を流れる空気の一部が酸素富化膜４を通過してフレーム３の通路内に入りこみ、酸素富化空気が得られ、この得られた酸素富化空気を酸素富化手段２ａの唯一の排出口であるユニット排出口６から集中排気している。
【００２５】
また略直方体状の酸素富化手段２ａは、その構成部材である前記略長方形の酸素富化膜４の短辺側が空気の進行方向（本発明では酸素富化装置１の前後方向）と略並行に、長辺側が空気の進行方向と略直角方向になるように、酸素富化装置１内に設けられている。
【００２６】
尚上記実施の形態では、酸素富化手段として、高分子の平膜に分子が通過する速度の差を利用して高濃度の酸素富化空気を発生させる方式（平膜方式）を用いたが、これに限定されるものではなく、中空糸膜を利用した方式（中空糸膜方式）、あるいは、ゼオライト等の固体表面における気体の吸脱着を利用した方式（ＰＳＡ方式）、あるいは、酸素発生剤を水に反応させる等の化学物質の化学反応を利用する方式（化学方式）等でも同様の効果を奏するものである。
【００２７】
図５に、低濃度酸素空気を発生させる場合の酸素富化装置２の全体図を示す。酸素富化装置２の内部には、酸素富化装置２の背面に設けた吸気口７から酸素富化装置２内に外気を吸引し、酸素富化手段２ａに送り、酸素富化膜４を通過しフレーム３の通路内に吸引された空気を取り出すポンプ１０と、酸素富化手段２ａの上流側にある空気すなわち、酸素濃度の低い空気を空気通路９を介して吸引する第２のポンプ１０ａとが配され、ポンプ１０と第２のポンプ１０ａの各吐出側は、濃度調整弁８に接続されている。
【００２８】
濃度調整弁８は、例えば弁体（図示せず）などを用いて、ポンプ１０から連結管３０に流入する酸素濃度の高い空気、第２のポンプ１０ａから連結管３０に流入する低酸素濃度である空気のそれぞれの量を可変することで、吐出部２１より使用者に供給する空気中の酸素濃度を変更することができる。
【００２９】
なお、上記実施の形態では、連結管３０と吐出部２１を固定しているが、吐出部２１を、自由に向きを変えられる可撓管（図示せず）を介して連結管３０に接続したり、或いは連結管３０や吐出部２１を吊るすようにして、吐出部２１の配置、位置を変えるようにしても良い。
【００３０】
次に、図６のブロック図を用いて、健康装置１の制御について説明する。
【００３１】
使用者７５による表示・入力盤１１を通しての入力や、使用者７５の状態を情報取得手段７４によって取り込み、提供制御手段７３へ信号を送る。また、使用者７５に提供されている空気の濃度、風量、風速といった状態を検知する後述の各種検出手段や使用者に与えられている負荷の状態を検知するセンサ（図示せず）は情報取得手段７４に含まれ、これらから得られた検知結果の情報も提供制御手段７３へ送られる。
【００３２】
提供制御手段７３は例えばマイクロコンピュータなどで構成され、得た情報を基に使用者７５に提供する空気の状態を制御する空気制御手段７１や、負荷手段１６を通して使用者７５に加える肉体的負荷を制御する負荷制御手段７２へ信号を送り、それぞれ最も使用者７５にふさわしい出力になるように制御を行う。また、情報取得手段７４から、例えばダイエットなどの目標が入力された場合、使用者７５がその目標を達成できるだけの運動量を提供制御手段７３で計算し、それに基づいた負荷や酸素濃度、風量、風速を使用者７５に提供することにより目標を達成させることができる。
【００３３】
提供する空気の状態を制御する空気制御手段７１は、酸素濃度が大気とは異なる空気を作り出す酸素状態可変手段５２を制御することにより、ポンプ１０の出力を上げて風量を多くしたり、風速を上げたり、あるいは使用する酸素富化膜４の枚数を切り替えることで、大気より高濃度酸素の空気を発生させるとともにその酸素濃度を調整することができる。
【００３４】
また、空気制御手段７１によって空気供給手段５３を制御することにより、発生した酸素状態可変空気が使用者７５に至る前に、風量や風速を変化させたり、濃度調整弁８を調整して酸素濃度の異なる空気を混合させたりすることにより使用者７５に提供する空気の酸素濃度を調整することができる。
【００３５】
また、酸素状態可変手段５２で高濃度酸素の空気と低濃度酸素の空気を発生させ取り出せるようにし、それぞれの空気の組み合わせで、さまざまな酸素濃度の空気を提供することができる。
【００３６】
肉体的負荷を使用者７５に与える負荷手段１６を制御する負荷制御手段７２は、使用者７５による入力または使用者７５の状態または提供される空気の状態といった情報取得手段７４によって得た情報を基に、提供制御手段７３によって判断された負荷を使用者７５に与えるように制御を行う。
【００３７】
図７、図８に健康装置１の情報取得手段７４の具体例を示す。使用者７５に提供する空気の酸素濃度を任意に選択し調節できる酸素濃度選択手段としての酸素濃度調整部６２と、提供する空気の風量を任意に調節できる風量調節部６４と、提供する空気の風速を任意に調節できる風速調節部６６と、空気の供給・非供給を選択する供給選択手段となる切り替えスイッチ４２と、身長、体重、年齢、性別といった個人のデータを入力する情報入力部４３と、使用の目的やレベルを入力するレベル設定手段であるレベル設定スイッチ４４と、身長、体重等の個人情報や過去の健康装置の使用設定等を記録することができるカードを読み込む情報入力部４６と、画像処理を行い自動で身長を測定する身長測定手段１９と、自動で体重を測定する体重計測手段１５と、身長測定手段１９または体重計測手段１５を動作させるための自動測定スイッチ４５と、健康装置１を使用している時間を測定する使用時間測定手段３７と、使用者７５の運動量を測定する運動量測定手段１７と、使用者７５に供給される空気中の酸素濃度を検出する酸素濃度検出手段３２と、使用者に供給される空気の風速を検出する風速検出手段３６と、使用者に供給される空気の風量を検出する風量検出手段３４が設けられている。
【００３８】
酸素濃度検出手段３２により検出した酸素濃度の情報を表示・入力盤１１に設けられた酸素濃度表示手段６１に表示させることで、使用者が吐出部２１から吐出される空気の酸素濃度を容易に認識できる。また、風量検出手段３４により検出した提供空気の吐出風量の情報を表示・入力盤１１に設けられた風量表示手段６３に表示することで、使用者７５が吐出部２１から吐出される空気の風量を容易に認識できる。また、風速検出手段３６により検出した提供空気の吐出風速の情報を表示・入力盤１１に設けられた風速表示手段６５へ表示することで、使用者７５は、吐出部２１から吐出される空気の風速を容易に認識できる。
【００３９】
なお、情報取得手段７４はそれぞれ別の系統であり、上述のように全てを同時に備えていなくとも、それぞれの効果を発揮することは言うまでもない。また、組み合わせで効果を得ても、単独で効果を得ても支障はない。
【００４０】
以上のように構成された健康装置１においてその動作を説明する。なお、本健康装置１は、酸素富化装置２としてまたは健康器具としてそれぞれ単独で使用することもできるが、以下連携して使用する場合を例に挙げて説明する。
【００４１】
健康装置１の起動または終了は、主電源４１を押して行なう。酸素供給・非供給の選択を行う場合は、切り替えスイッチ４２を押すことで切り替えることができる。健康装置１の使用開始前に情報取得手段７４である情報入力部４３より、身長、体重、年齢、性別といった個人の情報を入力すると、この入力された情報を元に提供制御手段７３によって空気制御手段７１や負荷制御手段７２が制御され、所定の酸素濃度、風量、風速の空気が放出および／または使用者に合った肉体的負荷が負荷手段１６から出力される。
【００４２】
またこれ以外にも、レベル設定スイッチ４４や情報入力部４６や身長測定手段１９や体重計測手段１５といった情報取得手段７４より情報を取り込むことが可能であり、取得した情報を元に提供制御手段７３で空気制御手段７１や負荷制御手段７２を制御して、使用者７５の意図どおりのまたは使用者７５に最も適した酸素濃度、風量、風速の空気および／または肉体的に加えられる負荷を調節することができる。
【００４３】
また、提供する酸素濃度を任意に調節できる酸素濃度調整部６２と、提供する空気の風量を任意に調節できる風量調節部６４と、空気の風速を任意に調節できる風速調節部６６を操作することで、それぞれ任意の設定を行うことができ、取得した情報を元に提供制御手段７３により空気制御手段７１や負荷制御手段７２を制御することによって、使用者７５の意図どおりのまたは最も適した酸素濃度、風量、風速の空気および／または使用者に加えられる肉体的な負荷を任意に調節することができる。
【００４４】
健康装置１の使用開始前や使用中に、情報入力部４３より、身長、体重、年齢、性別といった個人情報を入力すると、使用中において、入力された情報を基に提供制御手段７３により空気制御手段７１や負荷制御手段７２を制御し、使用者７５に対して最も適した酸素濃度、風量、風速の空気および／または使用者に合った負荷を出力する。
【００４５】
入力に際しては、情報入力部４３を押す毎にディスプレイ４７に身長、体重、年齢、性別、目標などの入力が可能な項目が表示されるので、入力する項目にあわせ、ディスプレイ操作キー４８を押して入力を行う。目標は、例えばダイエットの場合、カロリー消費を使用時間等により計算することで目標時間や目標運動量をディスプレイ４７に表示し、現時点での使用時間や運動量も表示することで、視覚的に目標達成までの道のりを示すことができる。
【００４６】
またこれ以外にも、レベル設定スイッチ４４や情報入力部４６や身長測定手段１９や体重計測手段１５といった情報取得手段７４より情報を取り込むことができ、取得した情報を基に提供制御手段７３により空気制御手段７１や負荷制御手段７２を制御することによって、使用者７５の意図どおりのまたは最も適した酸素濃度、風量、風速の空気および／または使用者に加わる肉体的負荷を調節することができる。
【００４７】
また、健康装置１の使用中に、提供する空気の酸素濃度を任意に調節できる酸素濃度調整部６２と、提供する空気の風量を任意に調節できる風量調節部６４と、提供空気の風速を任意に調節できる風速調節部６６を操作することで、使用者７５は、希望の酸素濃度、風量、風速の空気を得ることができる。
【００４８】
また、健康装置１を使用している時間を測定する使用時間測定手段３７や、使用者の運動量を測定する運動量測定手段１７や、使用者に供給される空気中の酸素濃度を検出する酸素濃度検出手段３２や、使用者に供給される空気の風速を検出する風速検出手段３６や、使用者に供給される空気の風量を検出する風量検出手段３４といった情報取得手段７４で得た情報を信号として提供制御手段７３へ伝達することにより、提供制御手段７３により空気制御手段７１や負荷制御手段７２を制御し、所定の酸素濃度、風量、風速の空気および／または使用者に与えられる負荷を出力することができる。
【００４９】
さらに使用時間測定手段３７や運動量測定手段１７によって得られた情報を基に、使用者への肉体的負担を考慮して、前記使用時間測定手段３７により測定された使用時間や運動量測定手段１７によって測定された運動量が所定値に達したときには、負荷手段１６の使用を中断して休憩をとるようにディスプレイ４７に警告表示を出したり、負荷手段１６を停止したりすることができる。
【００５０】
健康装置１の使用開始前や使用中に、情報入力部４３より、身長、体重、年齢、性別といった個人情報を入力すると、健康装置１の使用後において、入力された情報を基に提供制御手段７３により空気制御手段７１を制御し、使用者に最もふさわしい酸素濃度、風量、風速の空気を出力する。またこれ以外にも、レベル設定スイッチ４４や情報入力部４６や身長測定手段１９や体重計測手段１５等の情報取得手段７４より情報を取り込むことができ、取得した情報を元に提供制御手段７３は、空気制御手段７１や負荷制御手段７２を制御し、提供する空気の酸素濃度、風量、風速等を調節することができる。
【００５１】
また、情報入力部４３より入力された情報を基に使用者ごとに連続使用時間を設定し、使用者への肉体的負担を考慮して、使用者の機器の連続使用時間が、前記設定された連続使用時間に達したときには、負荷手段１６の使用を中断して休憩をとるようにディスプレイ４７に警告表示を出したり、負荷手段１６を停止したりすることもできる。
【００５２】
上記実施の形態では、情報取得手段７４から得た情報を基に提供する空気の酸素濃度、風量、風速等および／または使用者に加わる負荷を変化させるようにしたが、空気の酸素濃度、風量、風速等を変化させた場合、これを基に使用者に加える肉体的負荷を変化させることも可能である。例えば、酸素濃度が高くなった場合、肉体的負荷が大きくなるように変化させる。
【００５３】
また、情報取得手段７４で得た情報を基に、使用者に加えられる肉体的負荷のみを変化させていた場合、これを基に使用者に提供する空気の酸素濃度、風量、風速を変化させることも可能である。例えば、使用者に加わる肉体的負荷が大きくなった場合、酸素濃度が高くなるように変化させる。
【００５４】
また、使用者に提供された空気の酸素濃度、風量、風速等および／または使用者に加えられた肉体的負荷を、例えば提供制御手段７３で記憶しておき、その経緯を基に使用者に提供する空気の酸素濃度、風量、風速および／または使用者に与えられる肉体的負荷を変化させる。
【００５５】
なお、カード等の記憶媒体に情報を書き込むデータ書き込み手段（図示せず）を設け、空気供給手段５３から供給する空気の酸素濃度、風量、風速や、使用者に加わる肉体的負荷のうち少なくとも１つを記憶させておき、健康装置１の運転開始時にデータ書き込み手段に記憶されたデータを自動的に読み込むようにすれば、初期設定を自動で行うことができ、使用性が向上する。
【００５６】
また、設定した目標に対して現状を記憶させておくことで、複数回に分けて目標を達成することができる。
【００５７】
なお、上記実施の形態において、健康装置の例として、エアロバイクを用いて説明を行ったが、勿論これに限定されるものではなく、ミニバイク、ステッパ−、ウォーカー、ルームランナー、ストレッチャ−、ベルトバイブレーターあるいはベンチ等のエクササイズマシンまたはフィットネスマシンでも支障がなく、またＥＭＳ（Ｅｌｅｃｔｒｉｃａｌ Ｍｕｓｃｌｅ  Ｓｔｉｍｕｌａｔｉｏｎ）等の人体に電気的刺激を与えるフィットネスマシンまたはマッサージチェア等のマッサージ器にも応用できるものである。
【産業上の利用可能性】
【００５８】
以上のように、本発明にかかる健康装置は、使用者に適切な有酸素運動を提供できるので、使用者に肉体的負荷を与える健康装置全般に有用である。
【図面の簡単な説明】
【００５９】
【図１】本発明の実施の形態１における健康装置の概略側面図
【図２】同健康装置に組み込まれた酸素富化装置の構成外略図
【図３】同酸素富化装置の酸素富化手段の構成外略図
【図４】同酸素富化手段のモジュールの構成外略図
【図５】同酸素富化装置の他の例を示す概略図
【図６】同健康装置の制御方法を示すブロック図
【図７】同健康装置の表示・入力盤の平面図
【図８】同健康装置の他の例を示す概略側面図
【符号の説明】
【００６０】
１      健康装置
２      酸素富化装置
１６    負荷手段
３２    酸素濃度検出手段
３４    風量検出手段
３６    風速検出手段
３７    使用時間測定手段
４３、４６  情報入力部
５２    酸素状態可変手段
５３    空気供給手段
６２    酸素濃度調整部（酸素濃度選択手段）
６５    風速表示手段
７２    負荷制御手段
７３    提供制御手段
【図１】
2005245495.tif 000003
【図２】
2005245495.tif 000004
【図３】
2005245495.tif 000005
【図４】
2005245495.tif 000006
【図５】
2005245495.tif 000007
【図６】
2005245495.tif 000008
【図７】
2005245495.tif 000009
【図８】
2005245495.tif 000010